(57)【特許請求の範囲】
【請求項１】
漂白剤含有洗濯洗剤を使用して繊維製品を洗浄し、その後、繊維製品を、セルロースのアルキル化およびヒドロキシアルキル化によって得られ、かつアンヒドログリコースモノマー単位につき、平均して、０．５〜２．５個のアルキル基および０．０２〜０．５個のヒドロキシアルキル基を有する汚れ解離性セルロース誘導体を含んでなる後処理組成物と接触させることを特徴とする繊維製品の洗浄方法。
【請求項２】
汚れ解離性セルロース誘導体は、Ｃ１−Ｃ１０アルキル基によってアルキル化されており、さらに、Ｃ２−Ｃ１０ヒドロキシアルキル基を有する請求項１に記載の洗浄方法。
【請求項３】
汚れ解離性セルロース誘導体は、アンヒドログリコースモノマー単位につき、平均して、１〜２個のアルキル基および０．０５〜０．３個のヒドロキシアルキル基を有する請求項１または２に記載の洗浄方法。
【請求項４】
汚れ解離性セルロース誘導体の平均分子量は１００００Ｄ〜１５００００Ｄである請求項１〜３のいずれかに記載の洗浄方法。
【請求項５】
セルロースのアルキル化およびヒドロキシアルキル化によって得られる汚れ解離性セルロース誘導体およびエステルクォートを含んでなる洗濯後処理組成物を使用することを特徴とする請求項１に記載の洗浄方法。
【請求項６】
洗濯後処理組成物が、エステルクォートを、５〜２５重量％の量で含んでなる請求項５に記載の洗浄方法。
【請求項７】
洗濯後処理組成物が、汚れ解離性セルロース誘導体を、０．１〜５重量％の量で含んでなる請求項１、５または６に記載の洗浄方法。
【請求項８】
漂白剤含有洗濯洗剤が、漂白剤を５〜７０重量％の量で含有することを特徴とする請求項１〜７のいずれかに記載の洗浄方法。
【発明の詳細な説明】
【技術分野】
【０００１】
本発明は、繊維製品、特に綿からなるかまたは綿を含んでなる繊維製品の洗浄における漂白剤含有洗濯洗剤の洗浄力を向上させるためのある汚れ解離性セルロース誘導体の使用、並びにそのような汚れ解離性セルロース誘導体を含んでなる漂白剤含有洗濯洗剤および洗浄組成物に関する。
【背景技術】
【０００２】
洗浄工程に必須である成分、例えば界面活性剤およびビルダー物質に加えて、洗濯洗剤は、通常、洗浄助剤の用語で集約でき、泡調整剤、灰色化抑制剤、漂白剤、漂白活性剤および染料移行抑制剤などの異なる活性物質を包含するさらなる構成成分を含んでなる。そのような助剤には、撥汚性を洗濯繊維に付与し、洗浄作業中に存在する場合は、残りの洗剤成分の汚れ解離能を高める物質が含まれる。同じことが、硬質表面用洗浄組成物にもあてはまる。そのような汚れを解離できる物質は、しばしば「汚れ解離性」物質、または処理された表面、例えば繊維を、汚れを解離するように変性できることから「撥汚剤」と呼ばれる。
【０００３】
例えば、米国特許ＵＳ４１３６０３８は、メチルセルロースの汚れ解離性作用を開示している。欧州特許出願ＥＰ０２１３７２９は、石鹸とアルキルヒドロキシアルキルセルロースを含んでなる非イオン界面活性剤との組み合わせを含んでなる洗濯洗剤を使用する場合の減少した再付着を開示している。欧州特許出願ＥＰ０２１３７３０は、カチオン界面活性剤およびＨＬＢ値３．１〜３．８を有する非イオンセルロースエーテルを含んでなる繊維製品処理組成物を開示している。米国特許ＵＳ４００００９３は、アルキルセルロース、ヒドロキシアルキルセルロースまたはアルキルヒドロキシアルキルセルロース０．１〜３重量％および界面活性剤５〜５０重量％を含んでなり、界面活性剤成分が実質的にＣ１０−Ｃ１３−アルキルスルフェートからなり、５重量％までのＣ１４−アルキルスルフェート並びに５重量％未満のＣ１５およびそれ以上のアルキル基含有アルキルスルフェートを含んでなる洗濯洗剤を開示している。米国特許ＵＳ４１７４３０５は、アルキルセルロース、ヒドロキシアルキルセルロースまたはアルキルヒドロキシアルキルセルロース０．１〜０．３重量％および界面活性剤５〜５０重量％を含んでなり、界面活性剤成分が実質的にＣ１０−Ｃ１２−アルキルベンゼンスルホネートからなり、Ｃ１３およびそれ以上のアルキル基を有するアルキルベンゼンスルホネート５重量％未満を含んでなる洗濯洗剤を開示している。欧州特許ＥＰ０２７１３１２は、汚れ解離活性物質、中でもセルロースアルキルエーテルおよびセルロースヒドロキシアルキルエーテル（１．５〜２．７のＤＳおよび２０００〜１０００００の分子量を有する）、例えばメチルセルロースおよびエチルセルロースに関し、セルロースアルキルエーテルおよびセルロースヒドロキシアルキルエーテルは過酸化物漂白剤と共に、１０：１〜１：１０の（漂白剤の活性酸素含量に基づく）重量比で使用されている。欧州特許出願ＥＰ０６３４４８１は、アルカリ金属パーカーボネートおよび１種またはそれ以上の非イオンセルロース誘導体を含んでなる洗濯洗剤に関する。非イオンセルロース誘導体の中で、単にヒドロキシエチルセルロース、ヒドロキシプロピルセルロースおよびメチルセルロースを明瞭に開示し、実施例において、メチルヒドロキシエチルセルロースTylose（商標）MH50、ヒドロキシプロピルメチルセルロースMethocel（商標）F4Mおよびヒドロキシブチルメチルセルロースを開示している。欧州特許ＥＰ０９４８５９１Ｂ１は、洗濯される布および繊維製品に、外観的利点、例えば、ピリング／毛羽立ちの減少、退色の抑制、向上した摩耗耐性および／または増大した柔軟性を与え、界面活性剤１〜８０重量％、有機または無機ビルダー１〜８０重量％、１００００〜２００００００の分子量を有する疎水変性非イオンセルロースエーテル（任意にオリゴマー化された（オリゴマー化度２０まで）エチレンオキシまたは２−プロピレンオキシエーテル単位およびＣ８−２４−アルキル置換基の存在下での変性であり、アルキル置換基は、セルロースエーテル物質に基づいて０．１〜５重量％の量で存在する）０．１〜８０重量％を含有する液状または顆粒状の洗濯洗剤を開示している。
【０００４】
ポリエステル繊維の化学的な類似性により、この物質からなる繊維製品の場合に特に効果的な汚れ解離活性物質は、ジカルボン酸単位、アルキレングリコール単位およびポリアルキレングリコール単位を有するコポリエステルである。上記の汚れ解離性コポリエステルおよび洗濯洗剤の使用も、以前から知られている。
【０００５】
例えば、ドイツ公開特許公報ＤＴ１６１７１４１は、ポリエチレンテレフタレート−ポリオキシエチレングリコールコポリマーを使用する洗浄方法を記載している。ドイツ公開特許公報ＤＴ２２００９１１は、非イオン界面活性剤ならびにポリオキシエチレングリコールおよびポリエチレンテレフタレートからなるコポリマーを含んでなる洗濯洗剤に関する。ドイツ公開特許公報ＤＴ２２５３０６３は、二塩基性カルボン酸およびアルキレンポリグリコールまたはシクロアルキレンポリグリコールおよび任意のアルキレングリコールまたはシクロアルキレングリコールからなるコポリマーを含んでなる酸性繊維変性組成物を記載している。ポリエチレングリコール単位は、７５０〜５０００の分子量を有し、エチレンテレフタレートとポリエチレンオキシドテレフタレートのモル比が５０：５０〜９０：１０であるエチレンテレフタレートおよびポリエチレンオキシドテレフタレートからなるポリマーならびにその洗濯洗剤における使用がドイツ特許ＤＥ２８５７２９２に記載されている。１５０００〜５００００の分子量を有し、エチレンテレフタレートおよびポリエチレンオキシドテレフタレートからなるポリマーは、ドイツ公開特許公報ＤＥ３３２４２５８の洗濯洗剤に使用され、そこでは、ポリエチレングリコール単位が１０００〜１００００の分子量を有し、エチレンテレフタレートとポリエチレンオキシドテレフタレートとのモル比が２：１〜６：１である。欧州特許ＥＰ０６６９４４は、エチレングリコール、ポリエチレングリコール、芳香族ジカルボン酸およびスルホン化芳香族ジカルボン酸から特定のモル比で構成されるコポリエステルを含んでなる繊維製品処理組成物に関する。欧州特許ＥＰ１８５４２７は、メチルまたはエチル基で末端基キャップされ、エチレンテレフタレートおよび／またはプロピレンテレフタレートおよびポリエチレンオキシドテレフタレート単位を含有するポリエステル、ならびにそのような汚れ解離性ポリマーを含む洗濯洗剤を開示している。欧州特許ＥＰ２４１９８４は、オキシエチレン基およびテレフタル酸単位に加えて、置換エチレン単位およびグリセロール単位も含有するポリエステルに関する。欧州特許ＥＰ２４１９８５は、オキシエチレン基およびテレフタル酸単位に加えて、１，２−プロピレン、１，２−ブチレンおよび／または３−メトキシ−１，２−プロピレン基およびグリセロール単位を含有し、Ｃ１−Ｃ４−アルキル基で末端基キャップされているポリエステルを開示している。欧州特許ＥＰ２５３５６７は、９００〜９０００の分子量を有し、エチレンテレフタレートおよびポリエチレンオキシドテレフタレートからなり、ポリエチレングリコール単位は３００〜３０００の分子量を有し、エチレンテレフタレートとポリエチレンオキシドテレフタレートのモル比は０．６〜０．９５である汚れ解離性ポリマーを開示している。欧州特許出願ＥＰ２７２０３３は、Ｃ１−４−アルキルまたはアシル基によって少なくとも部分的に末端キャップされており、ポリプロピレンテレフタレートおよびポリオキシエチレンテレフタレート単位を有するポリエステルを開示している。欧州特許ＥＰ２７４９０７は、スルホエチルによって末端キャップされているテレフタレート含有汚れ解離性ポリエステルを開示している。欧州特許出願ＥＰ３５７２８０において、テレフタレート、アルキレングリコールおよびポリ−Ｃ２−４−グリコール単位を有する汚れ解離性ポリエステルは、不飽和末端基のスルホン化によって調製されている。ドイツ特許出願ＤＥ２６５５５５１は、そのようなポリエステルとイソシアネート含有ポリマーとの反応およびそのように調製されたポリエステルの合成繊維洗浄過程での汚れの再付着に対する使用を開示している。ドイツ特許出願ＤＥ２８４６９８４は、汚れ解離性ポリマーとして、ジイソシアネートと親水性非イオンマクロジオールから得られる、末端イソシアネート基を含有するプレポリマーとポリエステルの反応生成物を含んでなる洗濯洗剤を開示している。
【発明の開示】
【発明が解決しようとする課題】
【０００６】
この広範囲の従来技術から既知であるポリマーは、ポリエステルであるか、少なくとも大部分がポリステルである繊維製品の場合にしか、十分な効果を有さないとう欠点を有する。しかしながら、現代の繊維製品の大部分は、綿または綿−ポリエステルの混合繊維からなり、そのため、特にそのような繊維製品上の脂汚れの場合に、より良好な活性を有する汚れ解離性活性物質が求められている。さらに、そのような汚れ解離性活性物質は、洗濯洗剤に通常存在する漂白剤の存在下に安定でなければならないだけでなく、そのような漂白剤含有組成物において特に良好な活性を有すべきであり、望ましくは漂白剤の活性を向上させるべきであり、少なくとも漂白剤活性に悪影響を与えてはいけない。
【課題を解決するための手段】
【０００７】
驚くべきことに、あるセルロース誘導体の使用によって、本発明の目的が達成できることが見い出された。
【０００８】
本発明は、特に綿からなるかまたは綿を含んでなる繊維製品の洗浄における洗浄作用を向上させるための、セルロースのアルキル化およびヒドロキシアルキル化によって得られる汚れ解離性セルロース誘導体と漂白剤との組み合わせの使用を提供する。
【０００９】
本発明は、さらに、漂白剤含有洗濯洗剤とセルロースのアルキル化およびヒドロキシアルキル化によって得られる汚れ解離性セルロースを使用する繊維製品の洗浄方法も提供する。
【００１０】
本発明は、さらに、漂白剤含有洗濯洗剤およびセルロースのアルキル化およびヒドロキシル化によって得られる汚れ解離性セルロース誘導体を使用する繊維製品の洗浄方法を提供する。この方法は、手で、または好ましくは一般的な家庭用洗濯機によって行われうる。漂白剤含有洗濯剤および汚れ解離性セルロース誘導体を同時または連続的に使用することは可能である。同時の使用は、汚れ解離性セルロース誘導体を含んでなる漂白剤含有洗濯洗剤の使用によって特に有利に行われうる。
【００１１】
本発明に従って用いられるセルロース誘導体の洗浄性能の向上効果は、繰り返しの使用、すなわち、既に洗浄されたおよび／またはセルロース誘導体の存在下で、シミがつく前に後処理された適当な繊維製品からのしみの除去に、特に顕著である。後処理に関して、漂白剤含有洗濯洗剤（上記のセルロース誘導を含んでよいが、場合によって、含まなくてよい）によって行った場合の実際の洗浄作業後に、繊維製品を、本発明によって使用されるセルロース誘導体を含む後処理組成物と、例えば繊維柔軟工程で、接触させる場合に、上記の肯定的な側面が実現されることに注目すべきである。この手順においても、本発明で使用されるセルロース誘導体の洗浄性能の向上効果は、所望によりそのセルロース誘導体を含む洗濯洗剤を使用しないで、漂白剤含有洗濯洗剤を使用する場合さえ、次の洗浄作業でも見られる。
【００１２】
好ましいセルロース誘導体は、Ｃ１−Ｃ１０基、特にＣ１−Ｃ３基によってアルキル化されており、さらにＣ２−Ｃ１０ヒドロキシアルキル基、特にＣ２−Ｃ３ヒドロキシアルキル基を有するものである。これらは、セルロースを、適したアルキル化剤、例えば、アルキルハライドまたはアルキルスルフェートと反応させ、その後、適したアルキレンオキシド、例えばエチレンオキシドおよび／またはプロピレンオキシドと反応させる既知の方法によって得られる。本発明の好ましい態様において、セルロース誘導体は、アンヒドログリコースモノマー単位につき、平均して０．５〜２．５、特に１〜２のアルキル基、０．０２〜０．５、特に０．０５〜０．３のヒドロキシアルキル基を有する。本発明で使用されるセルロース誘導体の平均分子量は、好ましくは１００００〜１５００００Ｄ、特に４００００〜１２００００Ｄ、さらに好ましくは８００００〜１１００００Ｄの範囲である。汚れ解離性セルロース誘導体の重合度および分子量の測定は、ウベローデ毛細管粘度計(Oc 毛細管)によって十分に希釈した水溶液の極限粘度数の測定に基づいている。定数[H. Staudinger and F. Reinecke, "Ueber Molekulargewichtsbestimmung an Celluloseethern"（セルロースエーテルの分子量測定について）、Liebigs Annalen der Chemie 535, 47 (1938)]および補正率[F. Rodriguez and L.A. Goettler、"The Flow of Moderately Concentrated Polymer Solutions in Water"（中程度に濃縮したポリマー水溶液の流れ）、Transactions of the Society of Rheology VIII, 3 17 (1964)]を用いて、極限粘度数から、重合度、および置換度（ＤＳおよびＭＳ）を組み合わせて対応する分子量を計算することが可能である。
【００１３】
上記のように、本発明で使用されるセルロース誘導体は、簡単な方法で調製され、生態学的および毒物学的に安全である。従来から既知の化合物をこの目的のために使用する場合より、特に綿または綿含有繊維製品上の脂および化粧品の汚れを極めて良好に除去できる。また、同等の脂除去能力に対して、かなりの量の界面活性剤を節約できる。
【００１４】
洗浄工程に関して、本発明の使用は、漂白剤およびセルロース誘導体を、洗濯剤含有液に添加するか、セルロース誘導体を、別個に、漂白剤および洗濯洗剤含有液に添加するか、または好ましくは、セルロース誘導体を、漂白剤含有洗濯洗剤の構成成分として洗濯液に導入することである。それ故に、本発明は、上記のセルロース誘導体を含んでなる漂白剤含有洗濯洗剤を提供する。
【００１５】
洗濯後処理工程において、本発明の使用は、漂白剤含有洗濯洗剤を使用して行われる洗浄サイクル後、セルロース誘導体を別個に濯ぎ液に添加するか、または洗濯後処理組成物、特に洗濯柔軟剤の構成成分として添加することである。本発明のこの態様において、そのような漂白剤含有洗濯洗剤は、同様に、本発明で使用されるセルロース誘導体であってもよいが、なくてもよい。逆に、そのような洗濯後処理組成物は漂白剤を含んでよいが、含まなくてもよい。
【００１６】
本発明に従って使用されるか、または本発明と共に使用されるか、または本発明の方法で使用されるセルロース誘導体を含んでなる組成物は、漂白剤、好ましくは過酸化物系を、特に、５〜７０重量％までの量で、所望により、漂白活性剤を、特に２〜１０重量％の量で含んでなる。有用な漂白剤は、好ましくは、過カルボン酸のような通常洗濯洗剤で使用される過酸化物、例えば、ドデカン二過酸またはフタロイルアミノペルオキシカプロン酸、過酸化水素、四水和物または一水和物として存在しうるアルカリ金属パーボレート、パーカーボネート、パーピロホスフェートおよびパーシリケート（一般にアルカリ金属塩、特にナトリウム塩として存在する）である。そのような漂白剤は、本発明で使用されるセルロース誘導体を含んでなる洗濯洗剤中に、それぞれの全組成物に基づいて好ましくは２５重量％まで、特に１５重量％まで、さらに好ましくは５〜１５重量％の量で存在し、特に、パーカーボネートが使用される。漂白活性剤の任意に存在する成分は、一般に使用されるＮ−またはＯ−アシル化合物、例えばポリアシル化アルキレンジアミン、特にテトラアセチルエチレンジアミン、アシル化グリコールウリル、特にテトラアセチルグリコールウリル、Ｎ−アシル化ヒダントイン、ヒドラジド、トリアゾール、ウラゾール、ジケトピペラジン、スルフリルアミドおよびシアヌレートならびにカルボン酸無水物、特に無水フタル酸、カルボン酸エステル、特にナトリウムイソノナノイルフェノールスルホネート、およびアシル化糖誘導体、特にペンタアセチルグルコースおよびカチオン性ニトリル誘導体、例えばトリメチルアミノアセトニトリル塩を含む。貯蔵過程でのパー化合物との相互作用を防ぐために、漂白活性剤は、被覆物質により既知の方法で被覆されるかまたは粒状にされ、その場合、特に好ましくは、カルボキシメチルセルロースによって粒状にされ、例えば欧州特許ＥＰ３７０２６に記載される方法によって調製できる０．０１ｍｍ〜０．８ｍｍの平均粒寸法を有するテトラアセチルエチレンジアミン、例えばドイツ特許ＤＤ２５５８８４に記載の方法によって調製できる粒状化１，５−ジアセチル−２，４−ジオキソヘキサヒドロ−１，３，５−トリアジンおよび／または国際特許出願ＷＯ００／５０５５３、ＷＯ００／５０５５６、ＷＯ０２／１２４２５、ＷＯ０２／１２４２６またはＷＯ０２／２６９２７に記載される方法による粒状に処方されたトリアルキルアミノアセトニトリルが挙げられる。洗濯洗剤は、それぞれの場合に、全組成物に基づいて８重量％まで、特に２〜６重量％の量でそのような漂白活性剤を含んでなる。
【００１７】
本発明に従って使用されるか、または本発明と共にまたは本発明の方法で使用されるか、またはセルロース誘導体を含んでなる漂白剤含有洗濯洗剤は、本発明の本質であるセルロース誘導体と望ましくない相互作用をしない市販の他の成分すべてを含んでなる。好ましくは、漂白剤含有洗濯洗剤に、０．１〜５重量％、特に０．５〜２．５重量％の量でセルロース誘導体を配合する。
【００１８】
驚くべきことに、上記の特性を有するセルロース誘導体は、ある他の洗濯洗剤および洗浄組成物成分の作用に肯定的な影響を与え、逆に、綿活性汚れ解離性セルロース誘導体の作用は、さらにある他の洗濯洗剤成分によって高められることが見い出された。これらの効果は、特に、活性酵素成分、特にプロテアーゼおよびリパーゼの場合、水溶性有機ビルダー、酸化炭水化物またはポリマーポリカルボキシレートの場合、スルフェートおよびスルホネート型合成アニオン界面活性剤の場合、染料移動防止剤、例えばビニルピロリドン、ビニルピリジンまたはビニルイミダゾールポリマーまたはコポリマーまたは対応するポリベタインの場合、灰色化防止剤、例えば、他の、特にアニオンの、セルロースエーテル、例えばカルボキシメチルセルロースの場合、生じ、本発明に従って使用されるセルロース誘導体と共に上記のさらなる成分の少なくとも１つの使用が好ましい。
【００１９】
好ましい態様において、本発明の組成物、本発明に従って使用される組成物または本発明の方法で使用される組成物は、脂肪アルキルポリグリコシド、脂肪アルキルポリアルコキシレート、特にエトキシレートおよび／またはプロピキシレート、脂肪酸ポリヒドロキシアミドおよび／またはエトキシル化および／またはプロポキシル化生成物または脂肪アルキルアミン、ビシナルジオール、脂肪酸アルキルエステルおよび／または脂肪酸アミドおよびそれらの混合物から選択される非イオン界面活性剤を、２〜２５重量％の量で含んでなる。
【００２０】
本発明の組成物のさらなる態様は、合成スルフェートおよび／またはスルホネート型アニオン界面活性剤、特に脂肪アルキルスルフェート、脂肪アルキルエーテルスルフェート、スルホ脂肪酸エステルおよび／またはスルホ脂肪酸二塩の、特に２〜２５重量％の量で存在させることを含む。アニオン界面活性剤は、好ましくは、アルキルまたはアルケニル基が８〜２２個、特に１２〜１８個の炭素原子を有するアルキルまたはアルケニルスルフェート並びに／若しくはアルキルまたはアルケニルエーテルスルフェートから選択される。これらは、通常、単一物質ではなく、むしろカットまたは混合物である。これらの中で、好ましくは、１６〜１８個の炭素原子の長鎖基を有する化合物の割合が２０％を超えるものが挙げられる。
【００２１】
有用な非イオン界面活性剤としては、１０〜２２個の炭素原子、好ましくは１２〜１８個の炭素原子を有する飽和またはモノもしくはポリ不飽和の直鎖または分岐鎖アルコールのアルコキシレート、特にエトキシレートおよび／またはプロポキシレートが挙げられる。アルコールのアルコキシル化度は、通常、１〜２０、好ましくは３〜１０である。アルコキシレートは、適したアルコールを、適したアルキレンオキシドと反応させる既知の方法で調製されうる。特に適しているものは、脂肪アルコールの誘導体であるが、特にオキソアルコールとして知られているそれらの分岐鎖状異性体が、使用可能なアルコキシレートを調製するために使用されうる。したがって、使用可能なものは、直鎖基、特にドデシル、テトラデシル、ヘキサデシルまたはオクタデシル基を有する１級アルコールのアルコキシレート、特にエトキシレート、およびそれらの混合物である。また、使用可能なものは、アルキル基に関して上記のアルコールに対応するアルキルアミン、ビシナルジオールおよびカルボキサミドの対応アルコキシル化生成物である。また、有用なものは、脂肪酸アルキルエステルのエチレンオキシドおよび／またはプロピレンオキシド付加生成物（国際特許出願ＷＯ９０／１３５３３に記載された方法によって調製される）、および脂肪酸ポリヒドロキシアミド（米国特許ＵＳ１９８５４２４、ＵＳ２０１６９６２およびＵＳ２０７０３７９８および国際特許出願ＷＯ９２／０６９８４の方法によって調製される）である。本発明の組成物に組み込まれるのに適したアルキルポリグリコシドは、一般式：（Ｇ）ｎ−ＯＲ１２［式中、Ｒ１２は、８〜２２個の炭素原子を有するアルキルまたはアルケニル基であり、Ｇはグリコース単位であり、ｎは１〜１０である。］で示される化合物である。このような化合物およびその調製方法は、例えば、欧州特許出願ＥＰ９２３５５、ＥＰ３０１２９８、ＥＰ３５７９６９およびＥＰ３６２６７１または米国特許ＵＳ３５４７８２８に記載されている。グリコシド成分（Ｇ）ｎは、天然由来のアルドースまたはケトースモノマー、特にグルコース、マンノース、フルクトース、ガラクトース、タロース、グロース、アルトロース、アロース、イドース、リボース、アラビノース、キロースおよびリキソースからなるオリゴマーまたはポリマーである。グリコシド結合したモノマーからなるオリゴマーは、存在する糖の種類とは別に、オリゴマー化度として知られる糖の数によって特徴づけられる。分析的に測定されるパラメーターとしてのオリゴマー化度ｎは、通常、分数であり、１〜１０の間の数であり、好ましく使用されるグリコシドの場合、１．５の値未満、特に１．２〜１．４である。入手容易さの故に、好ましいモノマー単位はグルコースである。分岐鎖異性体、特にオキソアルコールも、使用可能なグリコシドを調製するために使用できるが、グリコシドのアルキルまたはアルケニル基Ｒ１２は、再生可能な原料の容易に入手できる誘導体、特に、脂肪アルコールから誘導され。したがって、使用可能なものは、特に直鎖オクチル、デシル、ドデシル、テトラデシル、ヘキサデシルまたはオクタデシル基を有する１級アルコールおよびそれらの混合物である。特に好ましいアルキルグリコシドは、ココナツ脂肪アルキル基、すなわち、実質的にＲ１２＝ドデシルおよびＲ１２＝テトラデシルを有する混合物を含有する。
【００２２】
非イオン界面活性剤は、本発明に従って使用される汚れ解離性活性成分を含んでなる組成物、本発明に従って使用される組成物または本発明の方法で使用される組成物中に、好ましくは１〜３０重量％、特に１〜２５重量％の量で存在し、この範囲の上限量は、５重量％までのいくぶんより少ない量を主として含有する液状洗濯洗剤および粒子状洗濯洗剤に見られる。
【００２３】
これに代えてまたは加えて、組成物は、さらなる界面活性剤、好ましくはスルフェートまたはスルホネート型合成アニオン界面活性剤、例えば、アルキルベンゼンスルホネートを、好ましくはそれぞれの組成物全体に対して２０重量％までの量、特に０．１〜１８重量％の量で含んでいてよい。そのような組成物での使用に特に適している合成アニオン界面活性剤は、８〜２２個の炭素原子を有するアルキルおよび／またはアルケニルスルフェートであり、対カチオンとしてアルカリ金属、アンモニウムまたはアルキルもしくはヒドロキシアルキル置換アンモニウムを有する。好ましいものは、１２〜１８個の炭素原子を有する脂肪アルコールおよびオキソアルコールとして知られているそれらの分岐鎖類縁体の誘導体である。アルキルおよびアルケニルスルフェートは、対応するアルコール成分と通常の硫酸化剤、特に三酸化硫黄またはクロロスルホン酸との反応およびその後のアルカリ金属、アンモニアまたはアルキルもしくはヒドロキシアルキル置換アンモニウム塩基による中和によって調製されうる。
【００２４】
使用できるスルフェート型界面活性剤としては、エーテルスルフェートとして既知である上記のアルコールの硫酸化アルコキシル化生成物も挙げられる。そのようなエーテルスルフェートは、１分子あたり好ましくは２〜３０、特に４〜１０のエチレングリコール基を有する。適したスルホネート型アニオン界面活性剤としては、脂肪酸エステルと三酸化硫黄との反応およびその後の中和によって得られるα−スルホエステル、特に、８〜２２個、好ましくは１２〜１８個の炭素原子を有する脂肪酸と１〜６個、好ましくは１〜４個の炭素原子を有する直鎖アルコールから誘導されるスルホン化生成物ならびにこれらの加水分解から形式的に生じるスルホ脂肪酸が挙げられる。
【００２５】
有用な他に任意界面活性剤成分は、石鹸であり、適した石鹸は、飽和脂肪酸石鹸、例えばラウリン酸、ミリスチン酸、パルミチン酸またはステアリン酸の塩、天然脂肪酸混合物、例えばココナツ、パーム核または獣脂脂肪酸から誘導される石鹸が挙げられる。特に、好ましいものは、飽和Ｃ１２−Ｃ１８脂肪酸石鹸５０〜１００重量％およびオレイン酸石鹸５０重量％までからなる石鹸混合物である。石鹸は、好ましくは０．１〜５重量％の量で存在する。しかしながら、特に本発明で使用されるポリマーを含んでなる液状組成物において、一般に２０重量％までのより多量の石鹸が存在してよい。
【００２６】
所望により、組成物は、存在する場合に、好ましくは０．５〜７重量％の量で使用されるベタインおよび／またはカチオン界面活性剤を含んでなる。中でも、以下に記載のエステルクォートが特に好ましい。
【００２７】
さらなる態様において、組成物は、水溶性および／または水不溶性ビルダー、特に、アルカリ金属アルミノシリケート、１を超える比を有する結晶性アルカリ金属シリケート、単量体ポリカルボキシレート、重合体ポリカルボキシレートおよびそれらの混合物から選択されるビルダーを、２．５〜６０重量％の量で含んでなる。
【００２８】
組成物は、好ましくは２０〜５５重量％の水溶性および／または水不溶性の有機および／または無機ビルダーを含有する。水溶性有機ビルダー物質としては、ポリカルボン酸、特にクエン酸および糖酸から選択されるもの、重合（ポリ）カルボン酸、特に国際特許出願ＷＯ９３／１６１１０の多糖類の酸化から得られるポリカルボキシレート、ポリアクリル酸、ポリメタクリル酸、ポリマレイン酸およびそれらのコポリマーの群からのものが挙げられ、それらは、共重合状態で、カルボン酸官能基を有さない重合物質も少量含有しうる。不飽和カルボン酸のホモポリマーの相対分子量は、通常、遊離酸に基づいて５０００〜２０００００であり、コポリマーでは、２０００〜２０００００、好ましくは５００００〜１２００００である。特に好ましいアクリル酸−マレイン酸コポリマーは、５００００〜１０００００の相対分子量を有する。好ましいほどではないが、この群の適した化合物は、アクリル酸またはメタクリル酸と、ビニルエーテル、例えばビニルメチルエーテル、ビニルエステル、エチレン、プロピレンおよびスチレンとのコポリマーであり、酸の割合は、少なくとも５０重量％である。使用される水溶性有機ビルダー物質は、モノマーとして、２種のカルボン酸および／またはそれらの塩ならびに第３モノマーとしてビニルアルコールおよび／またはビニルアルコール誘導体または炭水化物を含むターポリマーであってよい。第１酸モノマーまたはその塩は、モノエチレン性不飽和Ｃ３−Ｃ８−カルボン酸、好ましくはＣ３−Ｃ４−モノカルボン酸、特に（メタ）アクリル酸から誘導する。第２酸モノマーまたはその塩は、Ｃ４−Ｃ８−ジカルボン酸、特に好ましくはマレイン酸の誘導体であってよい。第３モノマー単位は、この場合、好ましくはビニルアルコールおよび／または好ましくはエステル化ビニルアルコールによって形成される。ビニルアルコールと短鎖カルボン酸、例えばＣ１−Ｃ４−カルボン酸とのエステルを構成するビニルアルコール誘導体が好ましい。好ましいターポリマーは、６０〜９５重量％、特に７０〜９０重量％の（メタ）アクリル酸または（メタ）アクリレート、好ましくはアクリル酸またはアクリレート、およびマレイン酸またはマレエート、５〜４０重量％の、好ましくは１０〜３０重量％のビニルアルコールおよび／またはビニルアセテートを含有する。特に好ましいものは、（メタ）アクリル酸または（メタ）アクリレートとマレイン酸またはマレエートの重量比が１：１〜４：１、好ましくは２：１〜３：１、特に２：１〜２．５：１であるターポリマーである。量および重量比の両方は酸に基づく。第２酸性モノマーまたはその塩は、アルキル基、好ましくはＣ１−Ｃ４−アルキル基またはベンゼンもしくはベンゼン誘導体から好ましくは誘導される芳香族基によって２−置換されたアリルスルホン酸の誘導体であってよい。好ましいターポリマーは、４０〜６０重量％、特に４５〜５５重量％の（メタ）アクリル酸または（メタ）アクリレート、さらに好ましくはアクリル酸またはアクリレート、１０〜３０重量％の、好ましくは１５〜２５重量％のメタリルスルホン酸またはメタリルスルホネート、および第３モノマーとして、１５〜４０重量％の、好ましくは２０〜４０重量％の炭水化物を含有する。この炭水化物は、例えばモノ−、ジ−、オリゴ−またはポリサッカリドであってよく、好ましくはモノ−、ジ−またはオリゴサッカリド、特に好ましくはスクロースである。第３モノマーの使用は、ポリマー内に意図された分裂部位を組みこむことを考えられ、このことは、ポリマーの良好な生分解性に寄与する。これらターポリマーは、特にドイツ特許ＤＥ４２２１３８１およびドイツ特許出願ＤＥ４３００７７２に記載される方法によって調製され、一般に１０００〜２０００００、好ましくは２００〜５００００、特に３０００〜１００００の相対分子量を有する。特に、液状組成物の調製のために、それらは、水溶液の形態、好ましくは３０〜５０重量％の水溶液の形態で使用される。上記のすべてのポリカルボン酸は、通常、水溶性塩、特にアルカリ金属塩の形態で使用される。
【００２９】
そのような有機ビルダー物質は、４０重量％まで、特に２５重量％まで、好ましくは１〜５重量％の量で存在する。上記の上限に近い量は、ペーストまたは液状、特に水性である組成物で主に用いられる。
【００３０】
使用される水不溶性水分散性の無機ビルダーは、特に、液状組成物中で５０重量％までの、好ましくは４０重量％を超えない、特に１〜５重量％の結晶性または無定形アルカリ金属アルミノシリケートである。中でも、洗剤品質の点から結晶性アミノシリケート、特にゼオライトＮａＡおよび場合によりＮａＸが好ましい。上記の上限に近い量は、主に、固体粒子状組成物で使用される。適したアルミノシリケートは、特に、３０ｍｍを超える粒子寸法を有する粒子を有さず、少なくとも８０重量％程度の１０ｍｍ未満の寸法を有する粒子からなる。ドイツ特許ＤＥ２４１２８３７の明細書に従って測定できるそれらのカルシウム結合力は、１ｇにつき１００〜２００ｍｇの範囲のＣａＯである。上記のアルミノシリケートの適した代替物または部分代替物は、単独で存在するかまたは無定形シリケートとの混合物として存在しうる結晶性アルカリ金属シリケートである。ビルダーとして使用できるアルカリ金属シリケートは、好ましくは０．９５未満、特に１：１．１〜１：１２のアルカリ金属酸化物対ＳｉＯ２のモル比を有し、無定形または結晶形で存在しうる。好ましいアルカリ金属シリケートは、１：２〜１：２．８のＮａ２Ｏ：ＳｉＯ２モル比を有するケイ酸ナトリウム、特に無定形ケイ酸ナトリウムである。そのような無定形アルカリ金属シリケートは、例えば、Portil(商標）の商品名で市販されている。１：１．９〜１：２．８のＮａ２Ｏ：ＳｉＯ２モル比を有するものは、欧州特許出願ＥＰ０４２５４２７の方法によって調製できる。製造において、それらは、溶液形態ではなく、好ましくは固体として添加される。単独でまたは無定形シリケートとの混合物として存在でき使用される結晶性シリケートは、好ましくは一般式：Ｎａ２ＳｉｘＯ２ｘ＋１・ｙＨ２Ｏ[式中、係数とも呼ばれるｘは１．９〜４、ｙは０〜２０であり、好ましくは、ｘは２、３または４である。］の結晶性層状シリケートである。この一般式に包含される結晶性層状シリケートは、例えば欧州特許出願ＥＰ０１６４５１４に記載されている。好ましい結晶性層状シリケートは、上記一般式のｘが２または３の値であるものである。好ましいものは、β−およびδ−二ケイ酸ナトリウム（Ｎａ２ＳｉＯ２Ｏ５・ｙＨ２Ｏ）および国際特許出願ＷＯ９１／０８１７１に記載された方法によって得られるβ−二ケイ酸ナトリウムである。係数１．９〜３．２を有するδ−ケイ酸ナトリウムは、日本特許出願ＪＰ０４／２３８８０９またはＪＰ０４／２６０６１０に従って調製されうる。無定形アルカリ金属シリケートから調製され、欧州特許出願ＥＰ０５４８５９９、ＥＰ０５０２３２５およびＥＰ０４２５４２８に記載のように調製できるｘが１．９〜２．１である上記一般式で示される無水の結晶性アルカリ金属シリケートを、本発明のポリマーを含んでなる組成物において、使用することも可能である。本発明の組成物のさらに好ましい態様において、２〜３の比を有する結晶性層状ケイ酸ナトリウムが使用され、欧州特許出願ＥＰ０４３６８３５の方法にしたがって、砂および炭酸ナトリウムから調製できる。欧州特許ＥＰ０１６４５５２および／または欧州特許出願ＥＰ０２９４７５３の方法によって得られる係数１．９〜３．５の結晶性��イ酸ナトリウムは、本発明で使用されるセルロース誘導体を含んでなる洗濯洗剤のさらに好ましい態様において使用される。アルカリ金属シリケートの含量は、無水活性物質に基づいて１〜５０重量％、特に５〜３５重量％である。アルカリ金属アルミノシリケート、特にゼオライトは、付加的なビルダー物質として存在し、アルカリ金属シリケートの含量は、無水活性物質に基づいて１〜１５重量％、特に２〜８重量％である。アルミノシリケート対シリケートの重量比は、無水活性物質に基づいて好ましくは４：１〜１０：１である。無定形および結晶性アルカリ金属シリケートの両方を含んでなる組成物において、無定形アルカリ金属シリケート対結晶性アルカリ金属シリケートの重量比は好ましくは１：２〜２：１、特に１：１〜２：１である。
【００３１】
上記の無機ビルダーに加えて、本発明に従って使用されるセルロース誘導体を含んでなるか、本発明と共に使用されるか、または本発明の方法で使用される組成物において、さらに水溶性または水不溶性無機物質を使用することが可能である。この場合に適しているのは、アルカリ金属炭酸塩、アルカリ金属炭酸水素およびアルカリ金属硫酸塩ならびにそれらの混合物である。そのような付加的な無機物質は、７０重量％までの量で存在しうる。
【００３２】
さらに、組成物は、洗濯洗剤および洗浄組成物で一般的なさらなる構成成分を含んでなる。これらの任意の構成成分としては、酵素、酵素安定剤、重金属用錯化剤（例えばアミノポリカルボン酸、アミノヒドロキシポリカルボン酸、ポリホスホン酸および／またはアミノポリホスホン酸）、発泡抑制剤（例えば、オルガノポリシロキサンまたはパラフィン）、溶媒および蛍光増白剤（例えば、スチルベンジスルホン酸誘導体）が挙げられる。本発明で使用されるセルロース誘導体を含んでなる組成物は、好ましくは１重量％まで、特に０．０１〜０．５重量％の蛍光増白剤、特に置換された４，４’−ビス（２，４，６−トリアミノ−ｓ−トリアジニル）スチルベン−２，２’−ジスルホン酸、５重量％までの、特に０．１〜２重量％の重金属用錯化剤、特にアミノアルキレンホスホン酸およびそれらの塩、２重量％まで、特に０．１〜１重量％までの発泡抑制剤を含有する（記載の重量割合は、それぞれ全組成物洗剤に基づく）。
【００３３】
特に、液体組成物で使用される溶媒は、水の他に、好ましくは水混和性のものである。そのような溶媒としては、低級アルコール、例えばエタノール、プロパノール、イソプロパノールおよび異性体ブタノール、グリセロール、低級グリコール、例えば、エチレングリコールおよびプロピレングリコール、および上記の群の化合物から誘導されるエーテルが挙げられる。そのような液体組成物において、本発明で使用されるセルロース誘導体は、一般に、溶解した状態または懸濁した状態である。
【００３４】
任意に存在する酵素は、好ましくは、プロテアーゼ、アミラーゼ、リパーゼ、セルラーゼ、ヘミセルラーゼ、オキシダーゼ、パーオキシダーゼまたはそれらの混合物である。主に使用される酵素は、微生物、例えばバクテリアまたは菌類から得られるプロテアーゼである。プロテアーゼは、例えば、ドイツ公開特許公報ＤＥ１９４０４８８、ＤＥ２０４４１６１、ＤＥ２１０１８０３およびＤＥ２１２１３９７、米国特許ＵＳ３６２３９５７および米国特許ＵＳ４２６４７３８、欧州特許出願ＥＰ００６６３８および国際特許出願ＷＯ９１／０２７９２に記載される発酵方法による既知の手順で、適した微生物から得られる。プロテアーゼは、例えば、BLAP（商標）、Savinase（商標）、Esperase（商標）、Maxatase（商標）、Optimase（商標）、Alcalase（商標）、Durazym（商標）またはMaxapem（商標）の商品名で市販されている。使用できるリパーゼは、例えば欧州特許出願ＥＰ２５８０６８、ＥＰ３０５２１６およびＥＰ３４１９４７に記載されるHumicola lanuginosa、国際特許出願ＷＯ９１／１６４２２または欧州特許出願ＥＰ３８４１７７に記載されるBacillus種、欧州特許出願ＥＰ４６８１０２、ＥＰ３８５４０１、ＥＰ３７５１０２、ＥＰ３３４４６２、ＥＰ３３１３７６、ＥＰ３３０６４１、ＥＰ２１４７６１、ＥＰ２１８２７２もしくはＥＰ２０４２８４または国際特許出願ＷＯ９０／１０６９５に記載されるPseudomonas種、例えば欧州特許出願ＥＰ１３００６４に記載されるFusarium種、例えば欧州特許出願ＥＰ１１７５５３に記載されるRhizopus種または欧州特許出願ＥＰ１６７３０９に記載されるAspergillus種から得られる。適したリパーゼは、Lipolase(商標）、Lipozym（商標）、Lipomax（商標）、Lipex（商標）、Amano（商標）リパーゼ、Toyo-Jozo（商標）リパーゼ、Meito（商標）リパーゼおよびDiosynth（商標）リパーゼの商品名で市販されている。適したアミラーゼは、例えばMaxamyl（商標）、Termamyl（商標）、Duramyl（商標）およびPurafect（商標）OxAmの商品名で市販されている。使用できるセルラーゼは、至適ｐＨ値を、好ましくは６〜９．５の弱酸性ないし弱アルカリ性の範囲に有するバクテリアまたは菌類から得られる酵素であろう。そのようなセルラーゼは、例えばドイツ公開特許公報ＤＥ３１１７２５０、ＤＥ３２０７８２５、ＤＥ３２０７８４７、ＤＥ３３２２９５０または欧州特許出願ＥＰ２６５８３２、ＥＰ２６９９７７、ＥＰ２７０９７４、ＥＰ２７３１２５およびＥＰ３３９５５０、および国際特許出願ＷＯ９５／０２６７５およびＷＯ９７／１４８０４から既知であり、Celluzyme（商標）、Carezyme（商標）およびEcostone（商標）の商品名で市販されている。
【００３５】
特に液体組成物において所望により存在する通常の酵素安定剤としては、アミノアルコール、例えばモノ−、ジ−、トリエタノール−および−プロパノールアミンおよびそれらの混合物、欧州特許出願ＥＰ３７６７０５およびＥＰ３７８２６１から既知である低級カルボン酸、ホウ酸またはアルカリ金属ホウ酸塩または例えば欧州特許出願ＥＰ４５１９２１から既知であるホウ酸−カルボン酸の組み合わせ、例えば国際特許出願ＷＯ９３／１１２１５または欧州特許出願ＥＰ５１１４５６から既知であるホウ酸エステル、例えば欧州特許出願ＥＰ５８３５３６から既知であるホウ酸誘導体、カルシウム塩、例えば欧州特許ＥＰ２８８６５から既知であるカルシウム−蟻酸の組み合わせ、例えば欧州特許出願ＥＰ３７８２６２から既知であるマグネシウム塩、例えば欧州特許出願ＥＰ０８０７４８またはＥＰ０８０２２３から既知である硫黄含有還元剤が挙げられる。
【００３６】
適した発泡抑制剤としては、長鎖石鹸、特にベヘン酸石鹸、脂肪酸アミド、パラフィン、ワックス、微結晶性ワックス、オルガノポリシロキサンおよびそれら混合物が挙げられ、さらに、超微粒の、任意にシラン化されたまたは他の方法で疎水化されたシリカを含みうる。粒子状組成物の使用のために、そのような発泡抑制剤は、例えばドイツ公開特許公報ＤＥ３４３６１９４、欧州特許出願ＥＰ２６２５８８、ＥＰ３０１４１４、ＥＰ３０９９３１または欧州特許ＥＰ１５０３８６に記載されるように、好ましくは、粒状水溶性担体物質に結合される。
【００３７】
好ましい態様において、本発明で使用されるセルロース誘導体を組み込む組成物は、粒状であり、漂白剤（特にアルカリ金属パーカーボネート）２５重量％まで、特に５〜２０重量％、漂白活性剤１５重量％まで、特に１〜１０重量％、無機ビルダー２０〜５５重量％、水溶性有機ビルダー１０重量％まで、２〜８重量％まで、合成アニオン界面活性剤１０〜２５重量％まで、非イオン界面活性剤１〜５重量％、無機塩（特にアルカリ金属カーボネートおよび／または炭酸水素）２５重量％まで、０．１〜２５重量％を含有する。
【００３８】
さらに好ましい態様において、本発明で使用されるセルロース誘導体を組み込む組成物は、液状であり、非イオン界面活性剤１０〜２５重量％、特に１２〜２２．５重量％、合成アニオン界面活性剤２〜１０重量％、特に２．５〜８重量％、石鹸３〜１５重量％、特に４．５〜１２．５重量％、有機ビルダー（特にポリカルボキシレート、例えばシトレート）０．５〜５重量％、特に１〜４重量％、重金属用錯化剤（例えばホスホネート）１．５重量％まで、特に０．１〜１重量％、任意に存在する酵素、酵素安定剤、染料および／または香料、ならびに水および／または水混和性溶媒漂を含有する。
【００３９】
繊維製品の洗濯において漂白剤含有洗濯洗剤の洗浄効果を高めるために、上記の綿活性汚れ解離性セルロース誘導体の組み合わせを、さらに、ジカルボン酸および任意のポリマージオールからなるポリエステル−活性汚れ解離性ポリマーと共に使用することも可能である。本発明の組成物および本発明の方法において、上記の綿活性汚れ解離性セルロース誘導体とポリエステル活性汚れ解離性ポリマーとの組み合わせも可能である。
【００４０】
ポリエステル活性であると知られ、本発明に必須のセルロース誘導体に加えて使用できる汚れ解離性ポリマーとしては、ジカルボン酸、例えばアジピン酸、フタル酸またはテレフタル酸と、ジオール、例えばエチレングリコールまたはプロピレングリコールおよびポリジオール、例えばポリエチレングリコールまたはポリプロピレングリコールとのコポリエステルが挙げられる。好ましく使用される汚れ解離性ポリエステルとしては、形式的には２種のモノマー単位のエステル化によって得られるこれらの化合物が挙げられ、第１モノマーは、ジカルボン酸ＨＯＯＣ−Ｐｈ−ＣＯＯＨであり、第２モノマーは、ジオールＨＯ−(ＣＨＲ１１−)ａＯＨであり、ポリマージオールＨ−（Ｏ−ＣＨＲ１１−)ａ）ｂＯＨとして存在してもよい。この式中、Ｐｈは、１〜２２個の炭素原子を有するアルキル基、スルホン酸基、カルボキシル基およびそれらの混合物から選択された１〜４個の置換基を有するｏ−、ｍ−またはｐ−フェニレン基であり、Ｒ１１は、水素、１〜２２個の炭素原子を有するアルキル基およびそれらの混合物であり、ａは２〜６であり、ｂは１〜３００である。これらから得られるポリエステルにおいて、好ましくは、モノマージオール単位−Ｏ−(ＣＨＲ１１−)ａＯ−とポリマージオール単位−(Ｏ−(ＣＨＲ１１−)ａ)bＯ−の両方が存在する。モノマージオール単位対ポリマージオール単位のモル比は、好ましくは１００：１〜１：１００、特に１０：１〜１：１０である。ポリマージオール単位において、重合度ｂは、好ましくは４〜２００、特に１２〜１４０の範囲である。好ましい汚れ解離性ポリエステルの分子量または平均分子量または分子量分布の最大値は、２５０〜１０００００、特に５００〜５００００である。Ｐｈ基の母体酸としては、好ましくはテレフタル酸、イソフタル酸、フタル酸、トリメリット酸、メリット酸、スルホフタル酸、スルホイソフタル酸およびスルホテレフタル酸の異性体およびそれらの混合物が挙げられる。酸基が、ポリマーのエステル結合の一部分でない場合は、酸基は、塩の形態で、好ましくはアルカリ金属またはアンモニウム塩として好ましくは存在する。中でも、特に好ましくはナトリウムおよびカリウム塩である。所望により、少量のモノマーＨＯＯＣ−Ｐｈ−ＣＯＯＨのかわりに、上記のＰｈの割合に基づいて１０重量％を超えないで、少なくとも２種のカルボキシル基を有する他の酸が、汚れ解離性ポリマーに存在してよい。他の酸としては、例えば、アルキレン−およびアルケニレンジカルボン酸、例えばマロン酸、コハク酸、フマル酸、マレイン酸、グルタル酸、アジピン酸、ピメリン酸、スベリン酸、アゼライン酸およびセバシン酸が挙げられる。好ましいジオールＨＯ−(ＣＨＲ１１−)ａＯＨは、Ｒ１１が水素であり、ａが２〜６であるもの、およびａが２であり、Ｒ１１が水素および１〜１０個、好ましくは１〜３個の炭素原子を有するアルキル基から選択されるものである。後者のジオールの中で特に好ましいものは、Ｒ１１が上記のとおりである式：ＨＯ−ＣＨ２−ＣＨＲ１１−ＯＨで示されるものである。ジオール成分の例は、エチレングリコール、１，２−プロピレングリコール、１，３−プロピレングリコール、１，４−ブタンジオール、１，５−ペンタンジオール、１，６−ヘキサンジオール、１，８−オクタンジオール、１，２−デカンジオール、１，２−ドデカンジオールおよびネオペンチグリコールである。ポリマージオールの中で、特に好ましいものは、１０００〜６０００の範囲の平均分子量を有するポリエチレングリコールである。
【００４１】
所望により、上記の組成を有するポリエステルは、末端基キャップされ、その場合、有用な末端基は、１〜２２個の炭素原子を有するアルキル基およびモノカルボン酸のエステルである。エステル結合によって結合した末端基の母体酸は、５〜３２個、特に５〜１８個の炭素原子を有するアルキル−、アルケニル−およびアリールモノカルボン酸であってよい。これらの酸としては、吉草酸、カプロン酸、エナント酸、カプリル酸、ペラルゴン酸、カプリン酸、ウンデカン酸、ウンデセン酸、ラウリン酸、ラウロレイン酸（Lauroleinsaeure）、トリデカン酸、ミリスチン酸、ミリストレイン酸、ペンタデカン酸、パルミチン酸、ステアリン酸、ペトロセリン酸、ペトロセライジン酸、オレイン酸、リノール酸、リノライジン酸、リノレン酸、エレオステアリン酸、アラキジン酸、ガドレイン酸、アラキドン酸、ベヘン酸、エルカ酸、ブラッシジン酸、クルパノドン酸、リグノセリン酸、セロチン酸、メリシン酸、合計で２５個まで、特に１〜１２個の炭素原子を有する１〜５個の置換基を有する安息香酸、t-ブチル安息香酸が挙げられる。末端基の母体酸は、５〜２２個の炭素原子を有するヒドロキシモノカルボン酸、例えば、ヒドロキシ吉草酸、ヒドロキシカプロン酸、リシノール酸、水素化生成物ヒドロキシステアリン酸、およびｏ−、ｍ−およびｐ−ヒドロキシ安息香酸である。ヒドロキシモノカルボン酸は、ヒドロキシル基およびカルボキシル基を介して結合され、１つの末端基に２つ以上存在する。１末端基あたりのヒドロキシモノカルボン酸単位の数、すなわちオリゴマー化度は、好ましくは１〜５０、特に１〜１０の範囲である。本発明の好ましい態様において、エチレンテレフタレートおよびポリエチレンオキシドテレフタレートからなり、ポリエチレングリコール単位が７５０〜５０００の分子量を有し、エチレンテレフタレート対ポリエチレンオキシドテレフタレートのモル比は５０：５０〜９０：１０であるポリマーが、セルロース誘導体と組み合わせて使用される。
【００４２】
汚れ解離性ポリマーは、好ましくは水溶性であり、「水溶性」とは、室温で、ｐＨ８において水１Ｌあたり少なくとも０．０１ｇ、好ましくは少なくとも０．１ｇのポリマーの溶解度を意味する。しかしながら、好ましく使用されるポリマーは、これらの条件下で１Ｌあたり少なくとも１ｇ、特に１０ｇの溶解度を有する。
【００４３】
本発明にしたがって使用されるセルロース誘導体を含む好ましい洗濯後処理組成物は、洗濯物柔軟活性成分として、エステルクォート、すなわちカルボン酸とアミノアルコールとの４級化エステルを含有する。これらは、合成有機化学の関連した方法によって得られる既知の物質である。これに関して、国際特許出願ＷＯ９１／０１２９５を参照でき、そこでは、トリエタノールアミンを、次亜リン酸の存在下で、脂肪酸により部分エステル化し、空気を通過させ、その後、混合物を、ジメチルスルフェートまたはエチレンオキシドにより４級化する。さらに、ドイツ特許ＤＥ４３０８７９４は、トリエタノールアミンエステルの４級化を適当な分散体、好ましくは脂肪アルコールの存在下で行う固体エステルクォートの調製方法を開示している。このテーマに関するレビューは、例えば、R. Puchtaら著、Tens. Surf. Det., 30, 186 (1993)、M.Brock著、Tens. Surf. Det. 30, 394 (1993)、R. Lagermanら著、J. Am. Oil. Chem. Soc., 71, 97 (1994)およびI. Shapiro著Cosm. Toil. 109, 77 (1994)に公開されている。
【００４４】
組成物中で好ましいエステルクォートは、式（Ｉ）：
【化１】
0004771936.tif 000002
［式中、Ｒ１ＣＯは、６〜２２個の炭素原子を有するアシル基であり、Ｒ２およびＲ３は、それぞれ独立して水素原子またはＲ１ＣＯであり、Ｒ４は１〜４個の炭素原子を有するアルキル基または（ＣＨ２ＣＨ２Ｏ）ｑＨ基であり、ｍ、ｎおよびｐは、合計で０または１〜１２であり、ｑは１〜１２であり、Ｘは、荷電平衡アニオン、例えば、ハライド、アルキルスルフェートまたはアルキルホスフェートである。］
で示される４級化脂肪酸トリエタノールアミンエステル塩である。本発明においての使用できるエステルクォートの典型的な例は、カプロン酸、カプリル酸、カプリン酸、ラウリン酸、ミリスチン酸、パルミチン酸、イソステアリン酸、ステアリン酸、オレイン酸、エライジン酸、アラキジン酸、ベヘン酸およびエルカ酸並びに例えば天然油脂の加圧開裂から得られるようなそれらの工業グレードの混合物に基づく生成物である。好ましいものとしては、工業グレードＣ１２／１８ココナツ脂肪酸、特に部分水素化Ｃ１６／１８獸脂またはパーム脂肪酸、エライジン酸豊富Ｃ１６／１８脂肪酸カットを使用するものである。４級化エステルを調製するために、脂肪酸およびトリエタノールアミンは、１．１：１〜３：１のモル比で通常使用されうる。エステルクォートの性能比率に関して、１．２：１〜２．２：１、好ましくは１．５：１〜１．９：１の使用比が、特に有利であることが見出されている。好ましく使用されるエステルクォートは、１．５〜１．９のエステル化度を有するモノ−、ジ−およびトリエステルの工業グレード混合物であり、工業グレードＣ１６／１８獸脂またはパーム脂肪酸から誘導される（ヨード価０〜４０）。式中、Ｒ１ＣＯが１６〜１８個の炭素原子を有するアシル基であり、Ｒ２がＲ１ＣＯであり、Ｒ３が水素原子であり、Ｒ４がメチル基であり、ｍ、ｎおよびｐがそれぞれ０であり、Ｘがメチルスルフェートである式（Ｉ）の４級化脂肪酸トリエタノールアミンエステル塩が特に有用であることが見出されている。
【００４５】
４級化カルボン酸トリエタノールアミンエステル塩に加えて、有用なエステルクォートは、カルボン酸と式（ＩＩ）：
【化２】
0004771936.tif 000003
［式中、Ｒ１ＣＯは、６〜２２個の炭素原子を有するアシル基であり、Ｒ２は水素またはＲ１ＣＯであり、Ｒ４およびＲ５はそれぞれ独立して１〜４個の炭素原子を有するアルキル基であり、ｍおよびｎは、合計で０または１〜１２であり、Ｘは、荷電平衡アニオン、例えば、ハライド、アルキルスルフェートまたはアルキルホスフェートである。］
で示されるジエタノールアルキルアミンとの４級化エステル塩である。
【００４６】
適したエステルクォートのさらなる群として、カルボン酸と式（ＩＩＩ）：
【化３】
0004771936.tif 000004
［式中、Ｒ１ＣＯは、６〜２２個の炭素原子を有するアシル基であり、Ｒ２は水素またはＲ１ＣＯであり、Ｒ４、Ｒ６およびＲ７はそれぞれ独立して１〜４個の炭素原子を有するアルキル基であり、ｍおよびｎは、合計で０または１〜１２であり、Ｘは、荷電平衡アニオン、例えば、ハライド、アルキルスルフェート、アルキルホスフェートである。］で示される１，２−ジヒドロキシプロピルジアルキルアミンとの４級化エステル塩が最後に挙げられる。
【００４７】
好ましい脂肪酸および最適エステル化度の選択に関して、（Ｉ）を例として行った説明は、式（ＩＩ）および（ＩＩＩ）のエステルクォートにも当てはまる。典型的に、エステルクォートは、何ら問題なく水で希釈できる５０〜９０重量％のアルコール溶液の形態で市販されており、エタノール、プロパノールおよびイソプロパノールが、一般的なアルコール溶媒である。
【００４８】
エステルクォートは、それぞれ、全洗濯後処理組成物に基づいて通常、５〜２５重量％、好ましくは８〜２０重量％の量で使用される。所望により、本発明に従って使用される洗濯後処理組成物は、さらに、エステルクォートに許容できないような悪影響を与えないかぎり、上記の洗濯洗剤成分を含んでなる。それらは、好ましくは液状の水含有組成物である。
【００４９】
好ましい態様において、本発明で使用される組み合わせを配合する組成物は、粒状であり、無機ビルダー２０〜５５重量％、水溶性有機ビルダー１０重量％まで、特に２〜８重量％、合成アニオン界面活性剤１０〜２５重量％、非イオン界面活性剤１〜５重量％、漂白剤（特にアルカリ金属パーカーボネート）２５重量％まで、特に５〜２０重量％、漂白活性剤１５重量％まで、特に１〜１０重量％、無機塩（特にアルカリ金属炭酸塩および／または炭酸水素塩）２５重量％まで、０．１〜２５重量％を含有する。
【００５０】
さらに好ましい態様において、本発明で使用される組み合わせを配合する組成物は、液状であり、非イオン界面活性剤１０〜２５重量％、特に１２〜２２．５重量％、合成アニオン界面活性剤２〜１０重量％、特に２．５〜８重量％、石鹸３〜１５重量％、特に４．５〜１２．５重量％、有機ビルダー（特にポリカルボキシレート、例えばシトレート）０．５〜５重量％、特に１〜４重量％、重金属用錯化剤（例えばホスホネート）１．５重量％まで、特に０．１〜１重量％、任意の酵素、酵素安定剤、染料および／または香料、ならびに水および／または水混和性溶媒漂を含有する。
【００５１】
固体組成物は好ましくは、汚れ解離性セルロース誘導体およびカルボキシメチルセルロースを含んでなる粒子を、固体で存在するさらなる洗濯洗剤成分と混合して、調製される。汚れ解離性セルロース誘導体を含んでなる粒子を調製するために、好ましくは、噴霧乾燥工程を使用する。または、この粒子を調製するためにおよび場合によっては最終生成物を調製するため、圧縮配合工程を使用することも可能である。
【実施例１】
【００５２】
ABS                    12重量部
FAS                     5重量部
C12/14  7 EO            3重量部
TAED                    7重量部
パーカーボネート       17重量部
炭酸ナトリウム         13重量部
ゼオライト             28重量部
Sokalan(商標) CP 5a)     5重量部
Tinopal(商標) DMS-Xb)    0.2重量部
a)ポリマーポリカルボキシレート、製造業者: BASF AG
b)蛍光増白剤、製造業者: Ciba
を含んでなる洗濯洗剤（Ｖ１）を、平均分子量９５０００のメチルヒドロキシエチルセルロース（Ｗ１）２重量部と、または平均分子量５００００のメチルヒドロキシプロピルセルロース（Ｗ２）と混合した。比較のために、洗濯洗剤Ｖ２を、ポリエチレンテレフタレート−ポリオキシエチレングリコールコポリマー(Repel-O-Tex(商標))２重量部を添加することによって、Ｖ１から調製した。純綿布、加工綿および５０／５０のポリエステル／綿混合布を、以下のとおり処理した： 
洗濯機:        Miele W 918 Novotronic（商標）
第１洗浄:      標準プログラム、単一液体工程
洗浄温度:      40℃
測定:          ５回
液体体積:      18L
水硬度:        16°ドイツ硬度
バラスト:      きれいな洗濯物3.5 kg
【００５３】
汚れていない布を、それぞれの場合に試験すべき洗濯洗剤によって、上記の条件で、３回洗濯し、それぞれの洗濯後、乾燥させた。３回の前洗浄後、布に手で、以下の標準的なシミをつけた：
口紅0.10g
黒色靴クリーム0.10g
埃／皮脂0.10g
【００５４】
シミのついた布を、Minolta CR 200で測定した後、室温で、７日間放置した。その後、シミのついた布を、タオルに貼り合わせ、上記の条件で洗濯した。
布を乾燥させ、再びMinolta CR 200で測定した。以下の洗浄結果が得られた(dde値）
【００５５】
【表１】
0004771936.tif 000005
【００５６】
【表２】
0004771936.tif 000006
【００５７】
【表３】
0004771936.tif 000007
【００５８】
本発明に従って使用されるセルロース誘導体を含んでなる洗濯洗剤（Ｗ１およびＷ２）は、セルロース誘導体を含んでいない組成物（Ｖ１）またはセルロース誘導体のかわりにポリエステルを含んでなる組成物（Ｖ２）より、洗濯性能において明らかに良好であることがわかる。
【実施例２】
【００５９】
汚れていない布を洗濯洗剤Ｖ１と、さらに、セルロース誘導体含有柔軟剤Ｓ１（水中にエステルクォート１５重量％および実施例１で使用したメチルヒドロキシエチルセルロース２重量％）で、またはセルロース誘導体を含まない同様の柔軟剤（Ｓ０）で３回洗浄する以外は、実施例１のとおり、洗濯作業を行い、それぞれの洗浄後乾燥させた。その後、布に、標準的なシミを付け、シミのついた布をMinolta CR 200で測定し、室温で７時間放置し、タオルを貼り付け、実施例１に記載の条件下で、Ｖ１で洗濯し、Ｓ１またはＳ０で濯ぎ仕上げした。
布を乾燥し、再びMinolta CR 200で測定した。このことは、以下の洗浄結果を与えた(dde値)。
【００６０】
【表４】
0004771936.tif 000008
【００６１】
【表５】
0004771936.tif 000009
【００６２】
【表６】
0004771936.tif 000010
【００６３】
本発明で使用されるセルロース誘導体を含んでなる洗濯後処理組成物の使用は、セルロース誘導体を含んでいない洗濯後処理組成物の使用によりも明らかに良好な洗濯性能を与えることがわかる。
【実施例３】
【００６４】
ABS                    11重量部
FAS                     5重量部
C12/14  7 EO            4重量部
炭酸ナトリウム          4重量部
ゼオライト             22重量部
クエン酸ナトリウム      2重量部
Sokalan(商標) CP 5a)     2重量部
酵素b)                 1.5重量部
a)ポリマーポリカルボキシレート、製造業者: BASF AG
b)プロテアーゼ、アミラーゼおよびセルラーゼの組み合わせ
を含んでなる洗濯洗剤（Ｖ３）を、過炭酸ナトリウム１８重量部およびＴＡＥＤ８重量部と混合した（Ｖ４）。メチルヒドロキシエチルセルロース（DS 1.89; MS 0.15; 平均分子量100000)をＶ３およびＶ４に添加して、これらから各々洗濯洗剤Ｖ５およびＷ３を調製した。実施例１に記載するように、洗濯作業を、これらの条件下で行った。このことは、以下の洗濯結果を与えた(dde値)。
【００６５】
【表７】
0004771936.tif 000011
【００６６】
【表８】
0004771936.tif 000012
【００６７】
【表９】
0004771936.tif 000013
【００６８】
セルロース誘導体を含んでなる洗濯洗剤（Ｖ５およびＷ３）は、セルロース誘導体を含んでいない対応する組成物（Ｖ３およびＶ４）より、多くの場合において、良好な洗濯性能を示すが、本発明で使用されるセルロース誘導体を含んでなる漂白剤含有組成物（Ｗ３）は、最良の性能を示すことがわかる。